(57)【特許請求の範囲】
【請求項１】
基材層の両面に印刷層を設け、この一方の面の印刷層の所定領域にデータ出力プリントにより一定桁数のカード番号のみが１０〜５０％の網点にてプリントされ、前記カード番号の全体を覆うように、透明樹脂層と易剥離性隠蔽層が順に形成された構成からなることを特徴とする易剥離性隠蔽層を備えたカード。
【請求項２】
前記易剥離性隠蔽層面に地紋印刷層が形成されていることを特徴とする請求項１記載の易剥離性隠蔽層を備えたカード。
【請求項３】
前記基材層の一方の面の最表面に保護層が形成されていることを特徴とする請求項１又は請求項２記載の易剥離性隠蔽層を備えたカード。
【請求項４】
前記透明樹脂層が、２軸延伸ポリエチレンテレフタレートフイルムからなることを特徴とする請求項１乃至請求項３のいずれかの１項に記載の易剥離性隠蔽層を備えたカード。
【請求項５】
前記基材層が、ボイドを有する２軸延伸ポリエチレンテレフタレートフイルムからなることを特徴とする請求項１乃至請求項４のいずれかの１項に記載の易剥離性隠蔽層を備えたカード。
【請求項６】
前記基材層の他方の面に隠蔽層が形成されていることを特徴とする請求項１乃至請求項５のいずれかの１項に記載の易剥離性隠蔽層を備えたカード。
【請求項７】
ロール状物から巻き出された連続する基材層の両面にオフセット印刷方式にて印刷層を形成し、この一方の面の印刷層の所定領域にデータ出力プリントにより一定桁数のカード番号のみを１０〜５０％の網点にてプリント形成し、該カード番号がプリントされた一方の面の全面に接着剤を介して透明樹脂層を積層した後に、断裁して枚葉シート状物を形成し、該枚葉シート状物にプリントされている前記カード番号の全体を覆うように、シルクスクリーン印刷にて隠蔽性インキを使用してベタ印刷することにより易剥離性隠蔽層を形成し、更に、該易剥離性隠蔽層の面に地紋印刷層と保護層をシルクスクリーン印刷にて順に形成し、前記易剥離性隠蔽層と前記地紋印刷層及び前記保護層を形成した前記枚葉シート状物を所定位置にて断裁することによりカードとする易剥離性隠蔽層を備えたカードの製造方法。
【発明の詳細な説明】
【０００１】
【発明の属する技術分野】
本発明は隠蔽情報を備えたカードに関する。
【０００２】
【従来の技術】
従来、隠蔽インキ層を爪や硬貨等で擦って隠蔽インキ層を削り落とすことにより、隠蔽インキ層の下部に設けてある隠蔽画像が現出する印刷物は、マジック印刷物、抽選券、アンケートカード等として一般的に利用されている。これらの印刷物は、プラスチックフイルム、紙、合成紙等の不透明な基材面に、印刷インキを使用してベタ柄にて文字や絵柄からなる画像を印刷し、印刷された画像全体を覆うように不透明インキを用いて全面にベタ印刷を行って、画像を剥離可能に隠蔽した構成のものである。しかしながら、上記の構成の印刷物においては、不透明インキの不透明度が充分でない、画像がベタ柄にて印刷されているので画像部が盛り上がるために、印刷された画像が外部から認識できてしまう、不透明インキの耐摩擦性がよくない、基材の不透明性が十分でない等の問題があって、基材面に印刷された隠蔽されるべき文字や絵柄からなる画像が透過光下で露顕したり、不透明インキ層の剥離が完全に行われずに画像面に残ってしまい画像がはっきりと視認できない、不透明インキ層を剥離するために強く擦ることにより画像が削られてしまい、完全な画像が現出しない等の問題があった。
【０００３】
【発明が解決しようとする課題】
本発明の目的は、表面にプリントされているカード番号の隠蔽が完全であると共に易剥離性隠蔽層を容易に剥離できるようにした、見栄え、強度、生産性に優れた易剥離性隠蔽層を備えたカードを提供することである。
【０００４】
【課題を解決するための手段】
基材層の一方の面の所定領域にデータ出力プリントにより一定桁数のカード番号がプリントされ、前記カード番号の全体を覆うように、透明樹脂層と易剥離性隠蔽層が順に形成された構成の易剥離性隠蔽層を備えたカードであるので、カード番号をデータ出力プリントすることで、異なる番号のカードの生産性がアップできると共に、易剥離性隠蔽層の剥離を容易に確実に行うことができる。
【０００５】
上記の易剥離性隠蔽層を備えたカードにおいて、前記カード番号が１０〜５０％の網点にてプリントされた構成とすることにより、カード番号のプリントされた部分の盛り上がりが少なくなるので、プリントされたカード番号が盛り上がりにより易剥離性隠蔽層の外部から確認されてしまうことがない。
【０００６】
上記の易剥離性隠蔽層を備えたカードにおいて、前記易剥離性隠蔽層面に地紋印刷層を形成した構成とすることにより、易剥離性隠蔽層の外部からカード番号が確認されてしまうのを防止できる。
【０００７】
上記の易剥離性隠蔽層を備えたカードにおいて、前記基材層の一方の面の最表面に保護層を形成した構成とすることにより、カードの製造、輸送、保管、販売時において易剥離性隠蔽層ないしは印刷層が擦れて傷がつくのを防止できる。
【０００８】
上記の易剥離性隠蔽層を備えたカードにおいて、前記透明樹脂層を２軸延伸ポリエチレンテレフタレートフイルムとすることにより、プリントされたカード番号が易剥離性隠蔽層の剥離時に損傷を受けることがなくなると共に、表面光沢及び腰の強さをより優れたものとすることができる。
【０００９】
上記の易剥離性隠蔽層を備えたカードにおいて、前記基材層がボイドを有する２軸延伸ポリエチレンテレフタレートフイルムとすることにより、プリントされたカード番号が基材層の反対面から透けて見えるのを防止できると共に、カードの強度を向上させることができる。
【００１０】
上記の易剥離性隠蔽層を備えたカードにおいて、前記基材層の他方の面に隠蔽層を形成することにより、プリントされたカード番号が反対面から透けて見えるのを確実に防止することができる。
【００１１】
【発明の実施の形態】
以下、図面に基づいて本発明の実施の形態を説明する。
図１は本発明の実施形態を示す平面図、図２は図１におけるＩ−Ｉ断面図、図３は網点でプリントされたカード番号の一部を示す拡大図、図４は本発明の実施形態における易剥離性隠蔽層を削り取った状態の平面図、図５は図４におけるＩ−Ｉ断面図であって、１は基材層、2,9 は印刷層、３は透明樹脂層、４は易剥離性隠蔽層、５は地紋印刷層、６は保護層、７はカード番号、８は隠蔽層をそれぞれ表す。
【００１２】
本発明の易剥離性隠蔽層を備えたカードの実施形態は、図１、図２に示すとおりである。一方の面の平面形状は、図１に示すように、カードの中央部の所定位置に所定桁数のカード番号７がデータ出力によりプリントされると共に、カード番号７の全体を覆うように易剥離性隠蔽層４が形成されて、カード番号７が隠蔽されている構成である。積層構成は、図２に示すように、基材層１の一方の面に固定情報及び絵柄からなる印刷層２が形成されると共に、印刷層２面の所定領域に所定の桁数からなるカード番号７がデータ出力によりプリントされ、プリントされたカード番号７及び印刷層２の全面を覆って透明樹脂層３が形成され、透明樹脂層３の上面のカード番号７がプリントされた領域に対応する位置に易剥離性隠蔽層４が形成され、易剥離性隠蔽層４の上に地紋印刷層５と保護層６が順に形成されると共に、基材層１の他方の面には隠蔽層８と印刷層９が順に設けられた構成である。
【００１３】
本発明の実施形態において、カード番号７は１０〜５０％の網点にてデータ出力によりプリントされるものである。図３はカード番号７を４０％の網点でプリントした状態を示すものである。ベタ印刷によりカード番号７を印刷した場合には、カード番号７面に易剥離性隠蔽層４を形成しても、カード番号７の部分が盛り上がって易剥離性隠蔽層４の上からカード番号７が認識されてしまうおそれがあるが、１０〜５０％の網点にてカード番号７をプリントすることにより、プリントされたカード番号７の部分の盛り上がりが少なくなるので、外部からプリントされたカード番号７の認識ができなくなる。更に、易剥離性隠蔽層４面に地紋印刷層５を形成することにより、カード番号７の部分の盛り上がりによるカード番号７が外部から認識されるのをより確実に防止しているものである。保護層６を設けるのは、易剥離性隠蔽層４及び地紋印刷層５が輸送，保管中の取扱い中に擦れて取れたり傷つくのを防止するものである。
【００１４】
基材層１に印刷層２が印刷されカード番号７がデータ出力によりプリントされた面に２軸延伸ポリエチレンテレフタレートフイルム等からなる透明樹脂層３を積層することにより、易剥離性隠蔽層４を爪、硬貨等にて削り落とす際に、カード番号７が同時に削り落とされるのを防止すると共に、易剥離性隠蔽層４の剥離を容易にするものである。基材層１の他方の面に隠蔽層８を設けるのは、光線に透かして見ることにより、プリントされたカード番号７が透けて見えるのを防止するためである。隠蔽層８を設けることにより、カードを光線で透かして見てもカード番号７が見えるのを確実に防止できる。
【００１５】
本発明の実施形態の易剥離性隠蔽層を備えたカードの易剥離性隠蔽層４を削り落とした状態は図４、図５に示すとおりであり、カード番号７を隠蔽するために設けられた易剥離性隠蔽層４を削り落とすことにより、所定桁数からなるカード番号７が現れる。積層構成は、図５に示すように、基材層１の一方の面に、印刷層２が設けられ、その面の所定領域にカード番号７がプリントされ、印刷層２とカード番号７の全体を覆って透明樹脂層３が形成されると共に、基材層１の他方の面には隠蔽層８と印刷層９が順に積層された構成である。
【００１６】
易剥離性隠蔽層４は、不透明なインキを使用して印刷により形成するのであるが、形成れたインキ膜が爪、硬貨等にて容易に剥離できるものであることが必要であるので、インキに使用する樹脂としては、天然ゴム、ポリブタジエン，スチレン−ブタジエン共重合体，アクリロニトリル−ブタジエン共重合体，ポリイソプレン，ポリクロロプレン等の合成ゴム、塩素化ポリエチレン、塩素化ポリプロピレン、塩化ゴム、エチレン−酢酸ビニル共重合、ＡＢＳ樹脂等の樹脂と、酸化鉄、酸化チタン、酸化コバルト、真珠光沢顔料、カーボンブラック等の無機顔料、フタロシァニンブルー等の有機顔料、銅粉、アルミニウム粉等の金属粉と、可塑剤、離型剤、及び溶剤からなるものを使用する。易剥離性隠蔽層４によりプリントされたカード番号７を完全に隠蔽できるようにするために、易剥離性隠蔽層４を厚い層で印刷することが必要となるので、厚いインキ層を形成することのできるシルクスクリーン印刷にて行うのが好ましい。
【００１７】
基材層１としては、腰が強く強度的に優れ且つ不透明なものが必要である。したがって、基材層としては、ボイドを有する２軸延伸ポリエチレンテレフタレートフイルム、２軸延伸ポリプロピレンフイルム等が適している。それらは、ポリエステル、ポリプロピレンに無機微粉末を添加してフイルム状に押出、２軸方向に延伸して製造される、ボイドを有する白色不透明のフイルムである。ボイドを有する２軸延伸ポリエチレンテレフタレートフイルムとしてはクリスパー（東洋紡績）等が使用でき、ボイドを有する２軸延伸ポリプロピレンフイルムとしてはユポ（王子油化）等が使用できる。基材層１の厚さとしては１５０〜２５０μが適当である。基材層１としては上記の構成のもの以外に、プラスチックフイルムと板紙とプラスチックフイルムの積層体を使用することもできる。プラスチックフイルムとしては、ポリ塩化ビニル、ポリエチレン、ポリプロピレン、ポリスチレン、ポリエステル等任意であるが、２軸延伸ポリエチレンテレフタレートフイルム等の剛性、表面強度の優れたフイルムが好ましい。
【００１８】
製造方法は、基材層１として、例えば、ロール状のクリスパーを使用して、両側端に送り孔を設けて、一方の面に印刷層２を印刷すると共に、他方の面に不透明な隠蔽用インキを使用して隠蔽層８を設けその上に印刷層９を形成する。印刷は紫外線硬化性インキ等を使用してオフセット印刷方式にて行うのが好ましい。一方の面に印刷層２を設け他方の面に隠蔽層８と印刷層９を設けた基材層１の印刷層２面に、ノンインパクトプリンタ等を使用して、所定位置にカード番号７をデータ出力により１０〜５０％の網点にてプリントする。カード番号７をプリントした基材層１面の全面に、例えば５０μの厚さの２軸延伸ポリエチレンテレフタレートフイルムからなる、透明樹脂層３をウレタン系接着剤等により積層した後に、所定位置にて断裁して枚葉の状態とする。次いで、プリントされたカード番号７の全体を覆うように、シルクスクリーン方式により隠蔽性インキを使用してベタ印刷することにより、易剥離性隠蔽層４を形成する。更に、易剥離性隠蔽層４面に地紋印刷層と保護層を順に形成する。地紋印刷層及び保護層はオフセット印刷ないしはシルクスクリーン印刷により形成する。最後に、所定位置にて裁断することにより易剥離性隠蔽層を備えたカードができあがる。
【００１９】
【発明の効果】
基材層の一方の面の所定領域にデータ出力プリントにより一定桁数のカード番号がプリントされ、カード番号の全体を覆うように、透明樹脂層と易剥離性隠蔽層が順に形成された構成の易剥離性隠蔽層を備えたカードであるので、カード番号をデータ出力プリントすることで生産性がアップできると共に、易剥離性隠蔽層の剥離を容易に確実に行うことができる。
上記の易剥離性隠蔽層を備えたカードにおいて、カード番号を１０〜５０％の網点にてプリントした構成とすることにより、カード番号のプリントされた部分の盛り上がりが殆どなくなるので、プリントされたカード番号が盛り上がりにより易剥離性隠蔽層の外部から確認されてしまうことがない。
上記の易剥離性隠蔽層を備えたカードにおいて、前記易剥離性隠蔽層面に地紋印刷層を形成した構成とすることにより、易剥離性隠蔽層の外部からカード番号が確認されてしまうのを防止できる。
上記の易剥離性隠蔽層を備えたカードにおいて、前記基材層の一方の面の最表面に保護層を形成した構成とすることにより、カードの製造、輸送、保管、販売時において易剥離性隠蔽層ないしは印刷層が擦れて傷がつくのを防止できる。
上記の易剥離性隠蔽層を備えたカードにおいて、透明樹脂層を２軸延伸ポリエチレンテレフタレートフイルムとすると共に、基材層を不透明なボイドを有する２軸延伸ポリエチレンテレフタレートフイルムとすることにより、プリントされたカード番号が易剥離性隠蔽層の剥離時に損傷を受けることがなくなると共に、基材層を通して透けて見えることがなく、表面光沢及び強度の優れたカードとすることができる。
上記の易剥離性隠蔽層を備えたカードにおいて、基材層の他方の面に隠蔽層を形成することにより、プリントされたカード番号が反対面から透けて見えるのを確実に防止することができる。
【図面の簡単な説明】
【図１】本発明の実施形態を示す平面図。
【図２】図１におけるＩ−Ｉ断面図。
【図３】網点でプリントされたカード番号の一部を示す拡大図。
【図４】本発明の実施形態における易剥離性隠蔽層を削り取った状態の平面図。
【図５】図４におけるＩ−Ｉ断面図。
【符号の説明】
１  基材層
2, 9  印刷層
３  透明樹脂層
４  易剥離性隠蔽層
５  地紋印刷層
６  保護層
７  カード番号
８  隠蔽層
【図１】
0003868571.tif 000002
【図２】
0003868571.tif 000003
【図３】
0003868571.tif 000004
【図４】
0003868571.tif 000005
【図５】
0003868571.tif 000006